(57)【要約】  【課題】  従来の運動トレーニング器具については、運動選手の体重移動が正しく行われているかいないかを目視で容易に確認することができない。  【解決手段】  水１００が封入される、弾性をもった筒状バッグ１０と、筒状バッグ１０に設けられている、水１００を封入するための液体封入栓部材２０と、を備え、封入された水１００が外部から観察可能であるように、窓領域３１および３２が筒状バッグ１０の前側面１０Ｆおよび後側面１０Ｂに形成されている運動トレーニング器具である。【選択図】  図１
2018099278.tif 000002
【特許請求の範囲】
【請求項１】
液体が封入される、弾性をもった筒状バッグと、
前記筒状バッグに設けられている、前記液体を封入するための液体封入栓部材と、
を備え、
前記封入された液体が外部から観察可能であるように、窓領域が前記筒状バッグの側面に形成されていることを特徴とする運動トレーニング器具。
【請求項２】
前記窓領域は、前記筒状バッグの長手方向に延びている帯状領域であり、
前記帯状領域は、前記封入された液体の液面波打ち状態が観察可能である幅を有することを特徴とする請求項１に記載の運動トレーニング器具。
【請求項３】
前記筒状バッグは、透明筒状本体部材と、前記透明筒状本体部材の上部に貼付された上部強化シート部材と、前記透明筒状本体部材の下部に貼付された下部強化シート部材と、を有し、
前記窓領域は、前記上部強化シート部材と前記下部強化シート部材との間に形成された、前記透明筒状本体部材の一部の領域であることを特徴とする請求項２に記載の運動トレーニング器具。
【請求項４】
前記液体には、蛍光体が混入されることを特徴とする請求項１から３の何れかに記載の運動トレーニング器具。
【請求項５】
前記筒状バッグには、前記液面波打ち状態を検出するセンサーと、前記液面波打ち状態の検出結果に応じて音または光を発生するアラームと、を有する、単数または複数の検出報知部材が設けられていることを特徴とする請求項１から４の何れかに記載の運動トレーニング器具。
【請求項６】
前記筒状バッグには、連結部材が設けられていることを特徴とする請求項１から５の何れかに記載の運動トレーニング器具。
【請求項７】
前記筒状バッグを載置面の上で安定化するためのサポート部材を備えることを特徴とする請求項１から６の何れかに記載の運動トレーニング器具。
【発明の詳細な説明】
【技術分野】
【０００１】
本発明は、その上に乗った運動選手が運動トレーニングを行うための運動トレーニング器具に関する。
【背景技術】
【０００２】
１対のガイドレールを備えるベース部材に、練習者が搭乗する左右の足に対応する１対のスタンス台を取り付けてなり、ベース部材と１対のスタンス台とは、１対のガイドレールによってスライド支点をスライド動作可能に連結され、１対のスタンス台は、その裏面に配される滑動支点によって滑動自在に接地し、ガイドレールに沿って移動する往復直線動作と、スライド支点を中心とする滑動支点を介しての回動滑動動作との複合動作を可能にするゴルフ練習兼用のトレーニング用具が、知られている（たとえば、特許文献１参照）。
【先行技術文献】
【特許文献】
【０００３】
【特許文献１】特開２０１４−１３６０５７号公報
【発明の概要】
【発明が解決しようとする課題】
【０００４】
ところで、本発明者は、このような運動トレーニング器具がさらに多様な利用を目的としてより広く応用されることが望ましいと考えている。
【０００５】
たとえば、本発明者は、運動選手の体重移動が正しく行われているかいないかを目視で容易に確認することができることが望ましいと考えている。
【０００６】
しかしながら、上述された従来の運動トレーニング器具については、運動選手の体重移動が正しく行われているかいないかを目視で容易に確認することができない。
【０００７】
本発明は、上述された従来の課題を考慮し、運動選手の体重移動が正しく行われているかいないかを目視でより容易に確認することができる運動トレーニング器具を提供することを目的とする。
【課題を解決するための手段】
【０００８】
第１の本発明は、液体が封入される、弾性をもった筒状バッグと、
前記筒状バッグに設けられている、前記液体を封入するための液体封入栓部材と、
を備え、
前記封入された液体が外部から観察可能であるように、窓領域が前記筒状バッグの側面に形成されていることを特徴とする運動トレーニング器具である。
【０００９】
第２の本発明は、前記窓領域は、前記筒状バッグの長手方向に延びている帯状領域であり、
前記帯状領域は、前記封入された液体の液面波打ち状態が観察可能である幅を有することを特徴とする第１の本発明の運動トレーニング器具である。
【００１０】
第３の本発明は、前記筒状バッグは、透明筒状本体部材と、前記透明筒状本体部材の上部に貼付された上部強化シート部材と、前記透明筒状本体部材の下部に貼付された下部強化シート部材と、を有し、
前記窓領域は、前記上部強化シート部材と前記下部強化シート部材との間に形成された、前記透明筒状本体部材の一部の領域であることを特徴とする第２の本発明の運動トレーニング器具である。
【００１１】
第４の本発明は、前記液体には、蛍光体が混入されることを特徴とする第１から第３の何れかの本発明の運動トレーニング器具である。
【００１２】
第５の本発明は、前記筒状バッグには、前記液面波打ち状態を検出するセンサーと、前記液面波打ち状態の検出結果に応じて音または光を発生するアラームと、を有する、単数または複数の検出報知部材が設けられていることを特徴とする第１から第４の何れかの本発明の運動トレーニング器具である。
【００１３】
第６の本発明は、前記筒状バッグには、連結部材が設けられていることを特徴とする第１から第５の何れかの本発明の運動トレーニング器具である。
【００１４】
第７の本発明は、前記筒状バッグを載置面の上で安定化するためのサポート部材を備えることを特徴とする第１から第６の何れかの本発明の運動トレーニング器具である。
【発明の効果】
【００１５】
本発明により、運動選手の体重移動が正しく行われているかいないかを目視でより容易に確認することが可能な運動トレーニング器具を提供することができる。
【図面の簡単な説明】
【００１６】
【図１】（ａ）本発明における実施の形態の液面波打ち状態が静止状態であるときの運動トレーニング器具の模式的な正面図、（ｂ）本発明における実施の形態の液面波打ち状態が揺動状態であるときの運動トレーニング器具の模式的な正面図
【図２】（ａ）本発明における実施の形態の運動トレーニング器具の模式的な上面図、（ｂ）本発明における実施の形態の運動トレーニング器具の模式的な下面図
【図３】（ａ）本発明における実施の形態の運動トレーニング器具の模式的な左測面図、（ｂ）本発明における実施の形態の運動トレーニング器具の模式的な右測面図
【図４】（ａ）本発明における実施の形態の運動トレーニング器具の模式的な正面図、（ｂ）本発明における実施の形態の運動トレーニング器具の模式的な背面図
【図５】本発明における変形例としての実施の形態の運動トレーニング器具の模式的な正面図
【図６】本発明における変形例としての実施の形態の運動トレーニング器具の模式的な下面図（その一）
【図７】本発明における変形例としての実施の形態の運動トレーニング器具の模式的な下面図（その二）
【図８】本発明における変形例としての実施の形態の運動トレーニング器具の模式的な左測面図（その一）
【図９】本発明における変形例としての実施の形態の運動トレーニング器具の模式的な左測面図（その二）
【図１０】（ａ）本発明における変形例としての実施の形態の運動トレーニング器具の模式的な左測面図（その三）、（ｂ）本発明における変形例としての実施の形態の運動トレーニング器具の模式的な左測面図（その四）
【図１１】本発明における変形例としての実施の形態の運動トレーニング器具の模式的な左測面図（その五）
【図１２】（ａ）本発明における変形例としての実施の形態の運動トレーニング器具のサポート部材の模式的な斜視図（その一）、（ｂ）本発明における変形例としての実施の形態の運動トレーニング器具のサポート部材の模式的な斜視図（その二）
【図１３】本発明における変形例としての実施の形態の運動トレーニング器具の模式的な左測面図（その六）
【図１４】（ａ）本発明における変形例としての実施の形態の運動トレーニング器具の模式的な下面図（その三）、（ｂ）本発明における変形例としての実施の形態の運動トレーニング器具のレジスタンスバンド付きバーの模式的な斜視図、（ｃ）本発明における変形例としての実施の形態の運動トレーニング器具のレジスタンスバー用ジョイントの模式的な斜視図
【図１５】本発明における変形例としての実施の形態の運動トレーニング器具の模式的な下面図（その四）
【図１６】（ａ）本発明における変形例としての実施の形態の運動トレーニング器具の破裂防止チューブ８０の模式的な斜視図、（ｂ）本発明における変形例としての実施の形態の運動トレーニング器具のチューブ芯材８１の模式的な斜視図
【発明を実施するための形態】
【００１７】
以下、図面を参照しながら、本発明における実施の形態について詳細に説明する。
【００１８】
本実施の形態の運動トレーニング器具は、ランニングおよびウォーキングを含んだ大きな身体の動きにともなう、体幹バランス性および股関節柔軟性などを向上するための一般的な運動トレーニング器具として使用可能であり、その上に乗った運動選手により運動トレーニングのために使用される。
【００１９】
はじめに、図１を主として参照しながら、本実施の形態の運動トレーニング器具について具体的に説明する。
【００２０】
ここに、図１（ａ）は本発明における実施の形態の液面波打ち状態が静止状態であるときの運動トレーニング器具の模式的な正面図であり、図１（ｂ）は本発明における実施の形態の液面波打ち状態が揺動状態であるときの運動トレーニング器具の模式的な正面図である。
【００２１】
本実施の形態の運動トレーニング器具は、筒状バッグ１０と、液体封入栓部材２０と、を備える。筒状バッグ１０は、水１００が封入される、弾性をもったバッグである。液体封入栓部材２０は、筒状バッグ１０に設けられている、水１００を封入するための部材である。
【００２２】
水１００は、本発明の液体の一例である。
【００２３】
もちろん、液面波打ち状態が変化する、小さい粘性をもった液体が、水１００の代わりに封入されてもよい。
【００２４】
封入された水１００が外部から観察可能であるように、窓領域３１および３２が筒状バッグ１０の前側面１０Ｆおよび後側面１０Ｂにそれぞれ形成されている。
【００２５】
前側面１０Ｆおよび後側面１０Ｂは、本発明の側面の一例である。
【００２６】
水１００には、蛍光体が混入される。
【００２７】
水１００に混入された蛍光体に応じた波長を有する光を投射する投光デバイスなどが、液面波打ち状態が変化する水１００の視認性をさらに向上するために利用されてもよい。
【００２８】
もちろん、水１００には、蛍光体が混入されなくてもよい。
【００２９】
液面波打ち状態が静止状態であるときの水１００の液面が窓領域３１および３２の下辺にほぼ一致するように、７〜１０リットルの水１００が封入される。水１００の液面を窓領域３１および３２の下辺により正確に一致させるためには、水１００の封入量がより正確に計測されればよい。
【００３０】
水１００の封入空気圧は、ほぼ５０ヘクトパスカルである。水１００の封入量が小さくても、水１００の封入空気圧は大きいとき、筒状バッグ１０の弾性は大きい。水１００の封入空気圧が大きいと、筒状バッグ１０の弾性は大きくなるので、本実施の形態の運動トレーニング器具の上に乗った運動選手はそこから落下しやすい。
【００３１】
爪先と踵との間の方向が筒状バッグ１０の短手方向Ｙにほぼ一致するように本実施の形態の運動トレーニング器具の上に乗った野球選手が打撃におけるバックスイング動作を行うと、体重のほぼ７０パーセントの荷重が軸足に作用し、軸足の下にある筒状バッグ１０の部分が大きく凹む。野球選手が踏込み動作を行っても荷重はまだ軸足に作用しているが、体重移動がスイング動作に応じて股関節の上で正しく行われて完了すると、非軸足の下にある筒状バッグ１０の部分が大きく凹む。
【００３２】
そして、空気などの気体、高低反発ウレタン樹脂、エラストマー樹脂およびシリコン樹脂などの固体、またはジェルではなく、液体である水１００が封入されるので、波が発生する。
【００３３】
より具体的には、スタビリティが強い運動選手の場合には、非軸足による踏込みがしっかりと行われるように、軸足から非軸足への体重移動が正しく行われ、波高が大きく波長が大きい水１００の波が軸足と非軸足との間の方向にほぼ一致する筒状バッグ１０の長手方向Ｘにおいて発生するが、スタビリティが弱い運動選手の場合には、波高が大きく波長が小さい水１００の波が筒状バッグ１０の短手方向Ｙにおいて発生しやすい。
【００３４】
すなわち、正しく強いステップによる正しく強い体重移動が股関節の上で行われると、大きい水１００の波が長手方向Ｘにおいて発生するが、スタビリティが弱い運動選手の場合には、大きい水１００の波が短手方向Ｙにおいて発生しやすい。もちろん、タイミングを計るための運動選手の癖などのために、構えからバックスイング動作開始までに発生する水１００の波は、正しくない技術も意味せず、正しくないスイング動作も意味しない。
【００３５】
したがって、運動選手の指導者は、運動選手の体重移動が股関節の上で正しく行われているかいないかを目視で容易に確認することができる。
【００３６】
体重移動が正しく行われているかいないかは、ミラーなどを利用して運動選手によりリアルタイムで確認されてもよいし、動画撮影機能をもったスマートフォンなどを利用して運動選手または指導者により後で確認されてもよい。
【００３７】
さらに、筒状バッグ１０の凹みにともなう目線の上下動にかかわらずに体重移動を正しく行うための運動トレーニングにより、体幹が強化されるのみならず、動体視力も強化される。したがって、直球ではない、上下に動く変化球に確実に対応するためのいわゆるミート技術が、向上される。
【００３８】
本実施の形態の運動トレーニング器具は、このような野球の打撃のスイングスタンス練習器具として使用可能であるのみならず、野球の投球または守備の練習器具としても使用可能である。そして、本実施の形態の運動トレーニング器具は、ゴルフ、卓球、テニス、ラグビー、陸上競技、体操、またはサーフィンなどの練習器具としても使用可能であり、フィットネス器具としても使用可能である。
【００３９】
つぎに、図２〜４を主として参照しながら、本実施の形態の運動トレーニング器具についてより具体的に説明する。
【００４０】
ここに、図２（ａ）は本発明における実施の形態の運動トレーニング器具の模式的な上面図であり、図２（ｂ）は本発明における実施の形態の運動トレーニング器具の模式的な下面図であり、図３（ａ）は本発明における実施の形態の運動トレーニング器具の模式的な左測面図であり、図３（ｂ）は本発明における実施の形態の運動トレーニング器具の模式的な右測面図であり、図４（ａ）は本発明における実施の形態の運動トレーニング器具の模式的な正面図であり、図４（ｂ）は本発明における実施の形態の運動トレーニング器具の模式的な背面図である。まず
図２〜４においては、本実施の形態の運動トレーニング器具の構成がより理解しやすくなるように、筒状バッグ１０に封入された水１００は図示されていない（以下同様である）。
【００４１】
窓領域３１および３２は、筒状バッグ１０の長手方向Ｘに延びた、封入された水１００の液面波打ち状態が観察可能である幅ＷｆおよびＷｂをそれぞれ有する帯状領域である。
【００４２】
本実施の形態においては、
（数１）
Ｗｆ＝Ｗｂ＝５５［ｍｍ］
である。
【００４３】
上述されたように、スタビリティが強い運動選手の場合には、波高が大きい水１００の波が筒状バッグ１０の長手方向Ｘにおいて発生するが、スタビリティが弱い運動選手の場合には、波高が大きい水１００の波が筒状バッグ１０の短手方向Ｙにおいて発生しやすい。幅ＷｆおよびＷｂはより小さくてもより大きくてもよいが、もし仮に幅ＷｆおよびＷｂが小さすぎるまたは大きすぎると、幅ＷｆおよびＷｂとの比較により波高を視覚的に把握することが難しくなる。
【００４４】
波高が幅ＷｆまたはＷｂに等しい５５ミリメートルより大きくても運動選手の目線の高さが過度に変化しないことは、プロフェッショナルな専門家の経験から知られており、公知である。
【００４５】
筒状バッグ１０は、透明筒状本体部材１１と、透明筒状本体部材１１の上部１１Ｕに貼付された上部強化シート部材１２と、透明筒状本体部材１１の下部１１Ｄに貼付された下部強化シート部材１３と、を有する。
【００４６】
窓領域３１および３２は、上部強化シート部材１２と下部強化シート部材１３との間に形成された、透明筒状本体部材１１の一部の領域である。
【００４７】
透明筒状本体部材１１は、１．５ミリメートルの厚さを有するＰＶＣ（ｐｏｌｙｖｉｎｙｌ  ｃｈｌｏｒｉｄｅ）フィルムを利用して構成されている。
【００４８】
透明筒状本体部材１１の厚さは、より小さくてもよいし、より大きくてもよい。透明筒状本体部材１１が上述されたように１．５ミリメートルの厚さを有するＰＶＣフィルムを利用して構成されていると、透明筒状本体部材１１の摩擦、摩耗および破裂は発生せず、水１００の漏洩も発生しない。
【００４９】
透明筒状本体部材１１のＰＶＣフィルムの硬度が小さいと、透明筒状本体部材１１が破裂してしまう恐れはほとんどないので水１００の封入空気圧を十分に大きくすることができ、筒状バッグ１０の弾性は大きくなるので、本実施の形態の運動トレーニング器具の上に乗った運動選手はそこから落下しやすい。
【００５０】
透明筒状本体部材１１は、長さＬを有する筒状部材である。
【００５１】
本実施の形態においては、
（数２）
Ｌ＝１１００［ｍｍ］
である。
【００５２】
長さＬが十分に大きいので、スタビリティが弱い運動選手であっても本実施の形態の運動トレーニング器具から落下せず、封入された水１００の液面波打ち状態が確実に観察可能である。長さＬが大きすぎると、筒状バッグ１０が過度に安定化されるので、有意義な運動トレーニング効果が期待されない。
【００５３】
一本の運動トレーニング器具が単独で使用される場合でも、二本の運動トレーニング器具が組合せ器具として使用される場合でも、長さＬは、平均で６００ミリメートルもあれば十分であることがしばしばであるが、スタビリティなどを考慮し、５００〜８００ミリメートルであってもよいし、多少大き目の方が望ましいこともある。
【００５４】
側面視における透明筒状本体部材１１の左側面１０Ｌおよび右側面１０Ｒの形状は高さＨを有する略等脚台形形状であるが、長さＬｕを有する上底辺、および長さＬｄを有する下底辺以外の二つの脚辺は湾曲して円弧のように膨らんでいる。
【００５５】
本実施の形態においては、
（数３）
Ｈ＝２００［ｍｍ］
（数４）
Ｌｕ＝２００［ｍｍ］
（数５）
Ｌｄ＝２４０［ｍｍ］
である。
【００５６】
Ｌｕ＜Ｌｄであるので、長さＬｄの下底辺が下側にあるように載置面２００の上に載置された筒状バッグ１０は安定化され、スタビリティが弱い運動選手であっても本実施の形態の運動トレーニング器具から落下しない。スタビリティが強い運動選手の場合には、よりきつい運動トレーニングを行うために、筒状バッグ１０は長さＬｕの上底辺が下側にあるように載置面２００の上に載置されていてもよい。すなわち、長さＬｄの下底辺が下側にある場合には、下側にある辺が長いために筒状バッグ１０は安定化されるので、トレーニングは簡単になり、長さＬｕの上底辺が下側にある場合には、スタビリティがさらに必要である。
【００５７】
透明筒状本体部材１１の左側面１０Ｌには、上部強化シート部材１２および下部強化シート部材１３の何れも貼付されていない。したがって、水１００の波が筒状バッグ１０の短手方向Ｙにおいて発生しているかいないかは、目視で容易に確認される。
【００５８】
透明筒状本体部材１１の右側面１０Ｒには、上部強化シート部材１２および下部強化シート部材１３の何れも貼付されていないが、液体封入栓部材２０が設けられている。
【００５９】
液体封入栓部材２０は、液体封入スプリングノズルを有するアダプター２１と、紛失を防止するために紐でアダプター２１に取付けられたキャップ２２と、を有する。
【００６０】
側面視におけるアダプター２１の形状は、高さＨｓを有する略長方形形状である。
【００６１】
本実施の形態においては、
（数６）
Ｈｓ＝１４０［ｍｍ］
である。
【００６２】
透明筒状本体部材１１の構造は内層および外層を有する二層構造であり、アダプター２１はこれらの内層および外層によりしっかりと挟まれるように取付けられている。したがって、筒状バッグ１０の厚さは、一般的には１．５ミリメートルである、透明筒状本体部材１１の厚さの三倍の大きさであり、キャップ２２からの水１００の漏洩は発生しない。
【００６３】
側面視におけるアダプター２１の形状などは多様に選択可能であり、たとえば、側面視におけるアダプター２１の形状が台形形状もしくは１２０ミリメートルの直径を有する円形形状である、またはキャップ２２をアダプター２１に取付けるための紐はない変形例としての実施の形態も、考えられる。
【００６４】
上部強化シート部材１２は、透明筒状本体部材１１に熱圧着およびグルー接着の少なくとも一方で強くボンディングされた丈夫な略長方形形状のターポリンシートを利用して構成されている。したがって、筒状バッグ１０がスパイクシューズなどにより踏まれても、透明筒状本体部材１１の摩擦、摩耗および破裂は発生せず、水１００の漏洩も発生しない。
【００６５】
下部強化シート部材１３は、透明筒状本体部材１１に熱圧着およびグルー接着の少なくとも一方で強くボンディングされた丈夫な略長方形形状のターポリンシートを利用して構成されている。したがって、筒状バッグ１０がグラウンドなどの載置面２００の上に載置されていても、透明筒状本体部材１１の摩擦、摩耗および破裂は発生せず、水１００の漏洩も発生しない。
【００６６】
（Ａ）なお、筒状バッグ１０には、液面波打ち状態を検出するセンサー４１と、液面波打ち状態の検出結果に応じて音または光を発生するアラーム４２と、を有する、単数または複数の検出報知部材４０が設けられている変形例としての実施の形態も、考えられる。
【００６７】
本発明における変形例としての実施の形態の運動トレーニング器具の模式的な正面図である図５に示された実施の形態においては、三つの検出報知部材４０が筒状バッグ１０の長手方向Ｘに沿って設けられている。
【００６８】
センサー４１は、透明筒状本体部材１１の外部に取付けられた超音波式水位センサーである。
【００６９】
なお、センサー４１は、透明筒状本体部材１１の内部に取付けられた水圧式水位センサーであってもよい。
【００７０】
三つの検出報知部材４０が有する三つのアラーム４２が発生する音のピッチが互いに異なると、運動選手は体重移動が正しく行われているかいないかをリアルタイムで聴覚的に確認することができる。
【００７１】
なお、スタビリティが弱い運動選手の場合に発生しやすい筒状バッグ１０の短手方向Ｙにおける水１００の波が検出されるように、三つの検出報知部材４０が短手方向Ｙに沿って設けられていてもよい。
【００７２】
（Ｂ）また、筒状バッグ１０には、連結部材５０が設けられている変形例としての実施の形態も、考えられる。
【００７３】
本発明における変形例としての実施の形態の運動トレーニング器具の模式的な下面図（その一）である図６に示された実施の形態においては、幅
（数７）
Ｗ１＝４０［ｍｍ］
および飛出しバンド部分長さ
（数８）
Ｌ１＝１００［ｍｍ］
を有する、筒状バッグ１０の短手方向Ｙに沿うＰＰ（ｐｏｌｙｐｒｏｐｙｌｅｎｅ）バンドを利用した三つの連結部材５０が、左右対称的に、中央の連結部材５０と左または右の連結部材５０との間の距離
（数９）
δ＝３００［ｍｍ］
で下部強化シート部材１３に取付けられている。連結部材５０は非飛出しバンド部分で下部強化シート部材１３に組付けられており、連結部材５０の飛出しバンド部分の前後先端にはＤ鐶を利用したジョイントループであるコネクター５１が取付けられている。
【００７４】
このような飛出しバンド部分の個数ならびに、幅Ｗ１、飛出しバンド部分長さＬ１、および距離δなどの値が多様に選択可能であることは、言うまでもない。
【００７５】
飛出しバンド部分長さＬ１は、５０ミリメートルもあれば十分であることがしばしばであるが、多少大き目の方が望ましいこともある。
【００７６】
なお、連結部材５０が筒状バッグ１０の短手方向Ｙに沿って上部強化シート部材１２に取付けられていてもよい。たとえば、運動トレーニング器具を運搬するためのＰＰバンドを利用した携行部材が、短手方向Ｙに沿って上部強化シート部材１２および下部強化シート部材１３に取付けられた二つの連結部材５０に接続されてもよい。
【００７７】
複数の運動トレーニング器具は、筒状バッグ１０の短手方向Ｙに沿って連結部材５０で連結され、組合せ器具として使用可能である。一方の足の下にある運動トレーニング器具の位置と、他方の足の下にある運動トレーニング器具の位置と、が短手方向Ｙに関して異なる状態は、両足のステップラインが異なる状態に対応する。したがって、複数の運動トレーニング器具が短手方向Ｙに沿って連結された組合せ器具は、平均台の上での歩行動作、ランニング動作、ラグビーにおけるスローイン動作、卓球における打球動作の運動トレーニングを希望する運動選手に適している。もちろん、複数の運動選手が一斉運動トレーニングを行いたい場合に、複数の運動トレーニング器具が短手方向Ｙに沿って連結されてもよい。
【００７８】
本発明における変形例としての実施の形態の運動トレーニング器具の模式的な下面図（その二）である図７に示された実施の形態においては、幅
（数１０）
Ｗ２＝４０［ｍｍ］
および飛出しバンド部分長さ
（数１１）
Ｌ２＝１００［ｍｍ］
を有する、筒状バッグ１０の長手方向Ｘに沿うＰＰバンドを利用した一つの連結部材５０が、前後対称的に、下部強化シート部材１３に取付けられている。連結部材５０は非飛出しバンド部分で下部強化シート部材１３に組付けられており、連結部材５０の飛出しバンド部分の左右先端にはベルトパーツを利用したジョイントループであるアジャスター５２が取付けられている。もちろん、アジャスター５２ではなく、コネクター５１が、飛出しバンド部分を有する連結部材５０とともに脱着自在に取付けられていてもよい。
【００７９】
なお、連結部材５０が筒状バッグ１０の長手方向Ｘに沿って上部強化シート部材１２に取付けられていてもよい。たとえば、運動トレーニング器具を運搬するためのＰＰバンドを利用した携行部材が、長手方向Ｘに沿って上部強化シート部材１２および下部強化シート部材１３に取付けられた二つの連結部材５０に接続されてもよい。
【００８０】
複数の運動トレーニング器具は、筒状バッグ１０の長手方向Ｘに沿って連結部材５０で連結され、組合せ器具として使用可能である。一方の足の下にある運動トレーニング器具と、他方の足の下にある運動トレーニング器具と、が異なると、複数の運動トレーニング器具が独立的に動くので、運動選手はそこから落下しやすい。したがって、複数の運動トレーニング器具が長手方向Ｘに沿って連結された組合せ器具は、よりきつい運動トレーニングを希望する運動選手に適している。もちろん、複数の運動選手が一斉運動トレーニングを行いたい場合に、複数の運動トレーニング器具が長手方向Ｘに沿って連結されてもよい。
【００８１】
コネクター５１の個数などは多様に選択可能であり、たとえば、三つのコネクター５１が左側に取付けられており、三つのコネクター５１が右側に取付けられており、三つのコネクター５１が上部の前側に取付けられており、三つのコネクター５１が上部の後側に取付けられており、三つのコネクター５１が下部の前側に取付けられており、三つのコネクター５１が下部の後側に取付けられている変形例としての実施の形態も、考えられる。
【００８２】
（Ｃ）また、運動トレーニング器具が、筒状バッグ１０を載置面２００の上で安定化するためのサポート部材６０を備える変形例としての実施の形態も、考えられる。
【００８３】
本発明における変形例としての実施の形態の運動トレーニング器具の模式的な左測面図（その一）である図８に示された実施の形態においては、ふいご式エアーポンプの態様によるサポート部材６０のペアが、前後対称的に筒状バッグ１０の短手方向Ｙに沿って両側に配置され、筒状バッグ１０をサポートしている。このようなふいご式エアーポンプの態様によるサポート部材６０の高さ、取付け角度および個数などは、多様に選択可能である。
【００８４】
本発明における変形例としての実施の形態の運動トレーニング器具の模式的な左測面図（その二）である図９に示された実施の形態においては、上面がうねっており、下面が平坦であるくさび式滑り止めプレートの態様によるサポート部材６０のペアが、前後対称的に筒状バッグ１０の短手方向Ｙに沿って両側に配置され、筒状バッグ１０をサポートしている。このようなくさび式滑り止めプレートの態様によるサポート部材６０の高さ、取付け角度および個数などは、多様に選択可能である。
【００８５】
本発明における変形例としての実施の形態の運動トレーニング器具の模式的な左測面図（その三および四）である図１０（ａ）および（ｂ）に示された実施の形態においては、滑り止めシート６３が挿入されるリクライニングチェアの態様によるサポート部材６０のペアが、前後対称的に筒状バッグ１０の短手方向Ｙに沿って両側に配置され、筒状バッグ１０をサポートしている。図１０（ａ）においては、筒状バッグ１０は長さＬｕの上底辺が下側にあるように載置面２００の上に載置されており、スプリングスタンド部６１が立って背もたれ部６２が非水平である状態が示されている。図１０（ｂ）においては、筒状バッグ１０は長さＬｄの下底辺が下側にあるように載置面２００の上に載置されており、スプリングスタンド部６１が寝て背もたれ部６２が略水平である状態が示されている。このようなリクライニングチェアの態様によるサポート部材６０の高さ、取付け角度および個数などは、多様に選択可能である。
【００８６】
本発明における変形例としての実施の形態の運動トレーニング器具の模式的な左測面図（その五）である図１１に示された実施の形態においては、貫通孔６４が筒状バッグ１０の長手方向Ｘに沿って中心軸の周りに形成されており、複数の滑り止め溝が長手方向Ｘに沿って側面に形成されている発泡樹脂ポールの態様によるサポート部材６０のペアが、前後対称的に筒状バッグ１０の短手方向Ｙに沿って両側に配置され、筒状バッグ１０をサポートしている。このような発泡樹脂ポールの態様によるサポート部材６０の高さ、取付け角度および個数などは、多様に選択可能である。
【００８７】
なお、三つの連結部材５０が上述されたように下部強化シート部材１３に取付けられており、長手方向Ｘに沿って配置されたこのような発泡樹脂ポールの態様によるサポート部材６０の三つのペアがそれぞれの貫通孔６４に挿通された紐でそれぞれのコネクター５１に取付けられていてもよい。貫通孔６４に挿通された紐の長さは、コネクター５１のＤ鐶を利用して三段階で調整可能である。たとえば、スタビリティが弱い運動選手の場合には、筒状バッグ１０とサポート部材６０との間の距離を小さくすることにより、載置面２００の上に載置された筒状バッグ１０が安定化されるように、紐の長さは短くなるように調整される。六つのコネクター５１が取付けられているので、合計で
（数１２）
７２９（＝３6）
パターンの紐の長さの組合せが考えられる。そして、サポート部材６０が取付けられない場合も含めると、
（数１３）
４０９６（＝４6）
パターンの組合せが考えられる。
【００８８】
サポート部材６０の断面形状、表面加工、材料および大きさなども、多様に選択可能である。
【００８９】
たとえば、サポート部材６０の断面形状は、略半円形形状であってもよいし、本発明における変形例としての実施の形態の運動トレーニング器具のサポート部材６０の模式的な斜視図（その一および二）である図１２（ａ）および（ｂ）に示されているように、山形形状であってもよい。
【００９０】
このような山形形状においては、奥行きの長さＬａおよび横幅の長さＬｂを有する略正方形形状の底部により支持された山形部は最高安定部の高さＨαおよび途中安定部の高さＨβを有し、長さＬａおよびＬｂ、ならびに高さＨαおよびＨβは、それぞれ１５０ミリメートル、１５０ミリメートル、７５ミリメートル、および５０ミリメートルである。
【００９１】
山形部の材料は弾性が比較的に大きいＥＶＡ（Ｅｔｈｙｌｅｎｅ−Ｖｉｎｙｌ  Ａｃｅｔａｔｅ）樹脂であり、裏面６５には滑止めエンボスラバーが貼られているので、不注意にサポート部材６０を踏んだ運動選手が怪我をしにくい。
【００９２】
取付け角度を変化させて互いに異なる長さＬａおよびＬｂ、ならびに高さＨαおよびＨβを利用することにより、サポート部材６０の高さは、体重移動に関するフォームの矯正、およびスタビリティを考慮して多様に選択可能である。
【００９３】
サポート部材６０が利用されない場合、高さＨβの途中安定部が運動トレーニング器具に対面する場合、高さＨαの最高安定部が運動トレーニング器具に対面する場合、底部が運動トレーニング器具に押当てられる場合などが考えられ、運動トレーニング器具の安定性はこの順番に大きい。したがって、サポート部材６０が利用されない場合はスタビリティが強い運動選手に適しており、底部が運動トレーニング器具に押当てられる場合はスタビリティが弱い運動選手に適している。
【００９４】
距離が調整可能であるように、ペアにされた二つのサポート部材６０は貫通孔６４に挿通されたエラストマー樹脂のリング状紐により連結されてもよい。滑止めエンボスラバーが二つのサポート部材６０の両方の裏面６５に貼られていてもよいし、滑止めエンボスラバーが二つのサポート部材６０の内の一方の裏面６５にのみ貼られていてもよい。
【００９５】
水１００の封入空気圧および封入量も上述されたように調整可能であり、たとえば、運動選手の指導者は運動選手のスタビリティおよび鍛錬したい身体部位などに応じた運動トレーニングのきつさを多様に選択することができる。特に、股関節柔軟性などを向上するために、このような運動トレーニングのきつさを多様に選択することができる。
【００９６】
もちろん、透明筒状本体部材１１の形状も、デザイン嗜好などを考慮して多様に選択することができる。たとえば、側面視における透明筒状本体部材１１の左側面１０Ｌの形状は、円形形状であってもよいし、非等脚台形形状であってもよいし、本発明における変形例としての実施の形態の運動トレーニング器具の模式的な左測面図（その六）である図１３に示された略等脚台形形状であってもよい。このような略等脚台形形状においては、長さＬｕを有する上底辺、および長さＬｄを有する下底辺以外の二つの脚辺は奥行きの長さＬに対応した曲率半径Ｒを有する円弧であり、長さＬ、ＬｕおよびＬｄ、曲率半径Ｒ、ならびに高さＨは、それぞれ２８０ミリメートル、１５０ミリメートル、２００ミリメートル、１３１ミリメートル、および２００ミリメートルである。
【００９７】
連結部材５０は、多様な目的で利用可能である。たとえば、複数の運動トレーニング器具の連結、およびサポート部材６０の取付けに利用されない余ったコネクター５１またはアジャスター５２には、スタビリティトレーニング、有酸素トレーニング、アジリティートレーニング、およびバランストレーニングに適したフィットネス器具としても使用可能である、サーフボード器具または筋力トレーニング器具が取付けられてもよい。このような筋力トレーニング器具は、（１）ハンドル、（２）アンクルストラップ、（３）強度が互いに異なる複数のフラットレジスタンスバンド、（４）強度が互いに異なる複数のレジスタンスチューブ、（５）レジスタンスバンド付きバー、または（６）レジスタンスバー用ジョイントなどである。
【００９８】
たとえば、連結部材５０には、本発明における変形例としての実施の形態の運動トレーニング器具の模式的な下面図（その三）である図１４（ａ）、本発明における変形例としての実施の形態の運動トレーニング器具のレジスタンスバンド付きバー７５の模式的な斜視図である図１４（ｂ）、および本発明における変形例としての実施の形態の運動トレーニング器具のレジスタンスバー用ジョイント７６の模式的な斜視図である図１４（ｃ）に示されているように、二本のハンドストラップチューブ７１、二本のアンクルストラップチューブ７２、短い二本の左右サイドフラットレジスタンスベルト７３、および長い二本の前後サイドフラットレジスタンスベルト７４が取付けられてもよいし、レジスタンスバンド付きバー７５が、たとえば、二本のレジスタンスバー用ジョイント７６を利用して、二本のハンドストラップチューブ７１の代わりに前後対称的に筒状バッグ１０の短手方向Ｙに沿って取付けられてもよい。
【００９９】
ハンドストラップチューブ７１はエラスティックチューブであり、一方の先端には連結部材５０への脱着自在取付けのための金具が取付けられており、他方の先端には手で把持されるグリップ部材が取付けられている。アンクルストラップチューブ７２はエラスティックチューブであり、一方の先端には連結部材５０への脱着自在取付けのための金具が取付けられており、他方の先端には足首に巻付けられる面ファスナーストラップ部材が取付けられている。左右サイドフラットレジスタンスベルト７３、および前後サイドフラットレジスタンスベルト７４はフラットなエラスティックベルトであり、両方の先端には連結部材５０への脱着自在取付けのための茄子鐶が取付けられている。レジスタンスバンド付きバー７５には、連結部材５０またはレジスタンスバー用ジョイント７６への脱着自在取付けのための茄子鐶が取付けられている。レジスタンスバー用ジョイント７６には、コネクター５１への左右対称的な筒状バッグ１０の長手方向Ｘに沿う脱着自在取付けのための茄子鐶が両方の先端において取付けられており、レジスタンスバンド付きバー７５などの脱着自在取付けのための回転機能付きレクタングル鐶またはＤ鐶がファブリック製チューブの上部分において取付けられている。
【０１００】
なお、運動選手は、運動トレーニング器具の上に乗るのではなく、運動トレーニング器具を抱きかかえて運動トレーニングを行ってもよい。
【０１０１】
たとえば、筒状バッグ１０には、本発明における変形例としての実施の形態の運動トレーニング器具の模式的な下面図（その四）である図１５に示されているように、二つの縦グリップ７７、および二つの横グリップ７８の少なくとも一方が左右対称的に筒状バッグ１０の長手方向Ｘに沿って取付けられてもよい。縦グリップ中心間の距離、および横グリップ中心間の距離は、運動選手が運動トレーニング器具を抱きかかえやすいように、６０センチメートルであるが、グリップサイズ、グリップ取付け角度およびグリップ個数などは多様に選択可能である。縦グリップ７７または横グリップ７８が取付けられる場合には、窓領域３１または３２が形成されていなくてもよい。縦グリップ７７と横グリップ７８とを兼ねる回転グリップが、左側または右側に取付けられていてもよい。
【０１０２】
より具体的に説明すると、つぎの通りである。
【０１０３】
ウォーターバッグ、すなわち、運動トレーニング器具に充填された水により、運動選手は上半身を強化し、上半身の正しい使い方を会得できる。指導者は、運動トレーニング器具の窓から、下半身の場合と同じように、フォームチェックを行うことができる。
【０１０４】
野球選手のバッティングでは、構えからトップ、そして振りまでは上半身は水平を保持するが、トップの位置からインパクトに向かう途中に、捕手側の膝が股関節の体重移動開始と同時に前足、すなわち、前方に下がって低くなるにしたがい、肩も同様に下がっていく。正しいバックスイングにおける肩の高さは、トップオブスイング時から急激に下がるのではなく、インパクト時に最低でなければならない。インパクト時には、捕手寄りの腕はほぼ８０パーセントに伸びているべきであり、完全に伸び切っていてはいけない。インパクト後に、捕手寄りの腕は最大に伸びていく。
【０１０５】
運動選手は、両腕を下から回し抱えて運動トレーニング器具を持つ。胸の前で平行に構え、そこからバックスイングを開始し、トップオブスイングへ向かい、７：３で、捕手寄りの足についても、投手寄りの足についても、内側の踵前方から母指球の間に体重をかけ終える。すると、トップオブスイングからインパクトに向け、捕手側の運動トレーニング器具は、上述の体の動きと同じく下がっていくが、インパクト時まで急激に下がってはいけない。もしも急激に運動トレーニング器具が下がると、運動トレーニング器具の中の水は一挙に下がってしまい、運動選手の腕および体幹に一挙に負荷がかかってしまう。
【０１０６】
指導者は窓から充填された水の動きを観察して運動選手の正しいフォームを確認でき、運動選手は、正しい股関節の体重移動にしたがう、上半身、特に、肩および腕の正しい使い方を会得できる。
【０１０７】
そして、充填された水は下に向け落下するが、水の負荷に負けてしまい、上半身の傾斜角度、腰の位置、および膝の伸びなどのために運動トレーニング器具を落とさないようにすることで、体の各部位および体幹、すなわち、インナーマッスルの強化トレーニングが可能になる。
【０１０８】
さらに、インパクト後に両腕は最大に伸びるが、捕手寄りの腕はインパクト後に最下点から伸びていき、下がっていた肩がそれにしたがって徐々に上がりながら、フォロースイングに進む。前方の肩を含む上半身を、大きく解放し、前方の肩の背中方向に回すが、充填された水の重力および自重により、肩、腕および手を含む上半身および体幹、すなわち、インナーマッスルの強化トレーニングが可能になる。
【０１０９】
それらの一連の正しいフォームを、指導者は、充填された水を窓から観察することで確認する。たとえば、充填された水の落下速度または重量に耐えきれず、運動トレーニング器具の後側が急激に下がる、すなわち、垂れることは、正しいフォームではないアッパースイングを意味するので、運動選手および指導者は、うしろの肩が下がらないことを確認する。
【０１１０】
充填された水は、インパクト時には運動トレーニング器具の一方の側の先端が最下点になるので、下側に全てが流れ落ちる。したがって、それらの水を運動トレーニング器具の他方の側の先端に向け一気に戻すことは、強く大きなフォロースイングを会得するための、体幹のみならぬ全ての体の部位の強化トレーニングにつながる。
【０１１１】
急激に極端な高低差のあるインパクトを想定するトレーニング、および指導者によるフォームチェックにおいては、バックスイングからの動作において上述とは違う体の動きが行われるが、全ての高低差において、充填された水の流れにより、窓によるフォームチェックが同様に可能になる。
【０１１２】
そして、運動トレーニング器具のセンターに、バット、テニスラケットまたはゴルフクラブをグリップすることを想定し、垂直に、すなわち、縦に、または回動可能にグリップを付けることで、実戦時の体感を会得することが可能になる。
【０１１３】
また、運動選手がその上に乗るべき中心位置およびスタンス幅などが認識可能であるように、定規または目印のようなスタンス目盛りが上部強化シート部材１２および下部強化シート部材１３に印刷されていてもよい。
【０１１４】
体幹が弱ってくるとスタンス幅は大きくなるので、運動選手はスタンス幅を認識して修正する。フォームまたはスタビリティの強弱に関する選手特性に応じて、運動選手が乗るべき位置は調整可能である。たとえば、スタビリティが弱いまたは変化球対応能力が劣る打者は前位置に乗って軽打してもよいし、俊足の運動選手は前位置に乗ってそのような選手特性を伸ばしてもよい。スタビリティが強くそして変化球対応能力が優れている強打者は、後位置に乗ってそのような選手特性を伸ばすトレーニングを行ってもよい。通常の使用においては、前位置は液体封入栓部材２０が設けられている右側面１０Ｒの側に対応し、後位置は左側面１０Ｌの側に対応する。
【０１１５】
また、水１００の封入量が認識可能であるように、定規または目印のような水リッター目盛りが透明筒状本体部材１１に印刷されていてもよい。
【０１１６】
スタビリティの強弱に関する選手特性に応じて、水１００の封入量は調整可能である。たとえば、水１００の比重は空気の比重より大きく、水１００は充填された空気の底側にある。したがって、水１００の封入量が小さく封入空気圧が小さいと、透明筒状本体部材１１が変形しやすく、ＰＶＣフィルム部材の弾性および揺れが小さくなり、打者にとっての安定性は結局のところ増大し、スタビリティが弱い打者であっても運動トレーニング器具から落下しない。対照的に、水１００の封入量が大きく封入空気圧が大きいと、透明筒状本体部材１１が変形しにくく、ＰＶＣフィルム部材の弾性および揺れが大きくなり、打者にとっての安定性は結局のところ減少し、スタビリティが強い打者はそのような選手特性を伸ばすトレーニングを行うことができる。運動トレーニング器具の上に乗るのではなく、運動トレーニング器具を抱きかかえて運動トレーニングを行う場合には、水１００の封入量が大きいと器具総重量は大きくなるので、小さい水１００の封入量はスタビリティが弱い打者に適しており、大きい水１００の封入量はスタビリティが強い打者に適している。
【０１１７】
また、本発明における変形例としての実施の形態の運動トレーニング器具の破裂防止チューブ８０の模式的な斜視図である図１６（ａ）に示されているように、破裂防止チューブ８０が透明筒状本体部材１１の内部に取付けられてもよい。
【０１１８】
より具体的に説明すると、つぎの通りである。
【０１１９】
破裂防止チューブ８０は透明筒状本体部材１１の内壁に沿って挿入されており、透明筒状本体部材１１が運動選手の体重により収縮したり膨張したりしても、破裂防止チューブ８０は透明筒状本体部材１１が過度に変形しないように透明筒状本体部材１１を内側から弾性的に支持して透明筒状本体部材１１の収縮および膨張を緩和する。
【０１２０】
破裂防止チューブ８０の断面形状、表面加工、材料および大きさなどは、多様に選択可能である。たとえば、破裂防止チューブ８０は、液面波打ち状態が変化する水１００の視認性が保証されるように、多数の孔８０ａが穿孔されたシート状材料を利用して構成されているが、網状材料を利用して構成されていてもよい。しかしながら、水１００が錆などに起因して劣化せず、器具総重量が過度に大きくならず、外観が美的であることが望ましい。
【０１２１】
そして、本発明における変形例としての実施の形態の運動トレーニング器具のチューブ芯材８１の模式的な斜視図である図１６（ｂ）に示されているように、チューブ芯材８１が、破裂防止チューブ８０の内部に取付けられてもよい。
【０１２２】
チューブ芯材８１は破裂防止チューブ８０の内壁に沿って挿入されており、透明筒状本体部材１１が運動選手の体重により収縮したり膨張したりしても、チューブ芯材８１は透明筒状本体部材１１が過度に変形しないように破裂防止チューブ８０を内側から弾性的に支持して透明筒状本体部材１１の収縮および膨張を緩和する。
【０１２３】
チューブ芯材８１の断面形状、表面加工、材料および大きさなどは、多様に選択可能である。たとえば、チューブ芯材８１は、水１００に浮かんでいる破裂防止チューブ８０が回転しても透明筒状本体部材１１が内側からしっかりと支持されるように、上端および下端が破裂防止チューブ８０の内壁に固定されている、九つのエラスティックジョイント８１ｂによって所定の間隔で順番に連結された十本の縦骨８１ａを利用して長尺形状に構成されているが、円錐形状に構成されていてもよい。しかしながら、水１００が錆などに起因して劣化せず、器具総重量が過度に大きくならず、外観が美的であることが望ましい。
【０１２４】
エラスティックジョイント８１ｂの個数などが多様に選択可能であることは、言うまでもない。
【０１２５】
破裂防止チューブ８０は透明筒状本体部材１１の内壁に固定されていてもよいし固定されていなくてもよいが、筒状バッグ１０の強度が透明筒状本体部材１１に対するチューブ芯材８１の垂直性により保証され、液面波打ち状態が変化する水１００の視認性が保証されるように、チューブ芯材８１は破裂防止チューブ８０の内壁に固定されていることが望ましい。
たとえば、エラスティックジョイント８１ｂの上側が運動選手の体重により押下げられて収縮しても、エラスティックジョイント８１ｂの下側は押上げられて膨張する。したがって、縦骨８１ａの倒れは、チューブ芯材８１の柔軟な高さ変化を実現する。
【産業上の利用可能性】
【０１２６】
本発明における運動トレーニング器具は、運動選手の体重移動が正しく行われているかいないかを目視でより容易に確認することができ、その上に乗った運動選手が運動トレーニングを行うための運動トレーニング器具に利用する目的に有用である。
【符号の説明】
【０１２７】
１０  筒状バッグ
１０Ｆ  前側面
１０Ｂ  後側面
１０Ｌ  左側面
１０Ｒ  右側面
１１  透明筒状本体部材
１１Ｕ  上部
１１Ｄ  下部
１２  上部強化シート部材
１３  下部強化シート部材
２０  液体封入栓部材
２１  アダプター
２２  キャップ
３１、３２  窓領域
４０  検出報知部材
４１  センサー
４２  アラーム
５０  連結部材
５１  コネクター
５２  アジャスター
６０  サポート部材
６１  スプリングスタンド部
６２  背もたれ部
６３  滑り止めシート
６４  貫通孔
６５  裏面
７１  ハンドストラップチューブ
７２  アンクルストラップチューブ
７３  左右サイドフラットレジスタンスベルト
７４  前後サイドフラットレジスタンスベルト
７５  レジスタンスバンド付きバー
７６  レジスタンスバー用ジョイント
７７  縦グリップ
７８  横グリップ
８０  破裂防止チューブ
８０ａ  孔
８１  チューブ芯材
８１ａ  縦骨
８１ｂ  エラスティックジョイント
１００  水
２００  載置面
【図１】
2018099278.tif 000003
【図２】
2018099278.tif 000004
【図３】
2018099278.tif 000005
【図４】
2018099278.tif 000006
【図５】
2018099278.tif 000007
【図６】
2018099278.tif 000008
【図７】
2018099278.tif 000009
【図８】
2018099278.tif 000010
【図９】
2018099278.tif 000011
【図１０】
2018099278.tif 000012
【図１１】
2018099278.tif 000013
【図１２】
2018099278.tif 000014
【図１３】
2018099278.tif 000015
【図１４】
2018099278.tif 000016
【図１５】
2018099278.tif 000017
【図１６】
2018099278.tif 000018